【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
長手方向の畝を有する製品を製造するための装置であって、
中芯材料のウェブを案内するための案内ロールと、
複数の畝形成バーと、
１対の波形形成ローラと、
中芯材料のウェブの移動経路とを備えており、
前記案内ロールの少なくとも一部分が、該案内ロールを出た後のウェブのエッジ部分の経路長がウェブの中央部分の経路長に比べて短縮されるように、該案内ロールの別の部分に対して斜めに配置されるように適合されており、
前記複数の畝形成バーが、おおむねウェブの長手軸に沿って向けられ、第１の波形形成用ラビリンスを画定しており、該第１の波形形成用ラビリンスが、該第１の波形形成用ラビリンスを通って引かれる中芯材料のウェブに長手方向の畝を中間的な形状まで形成するために有効であり、
前記１対の波形形成ローラが、該１対の波形形成ローラの間のニップに、該波形形成ローラのそれぞれに設けられて互いに噛み合う複数の波形形成用の歯の間の第２の波形形成用ラビリンスを画定するように協働しており、前記複数の波形形成用の歯は、各々のローラに沿って円柱状に配置され、該互いに噛み合う複数の波形形成用の歯が、前記波形形成ローラの回転時に前記ニップを通って引かれる中芯材料のウェブに長手方向の畝を実質的に最終的な形状まで形成するために有効であり、
前記移動経路が、前記案内ロールの外周面の一部を巡り、前記第１の波形形成用ラビリンスを通過し、前記第２の波形形成用ラビリンスを通過する経路を辿る、装置。
【請求項２】
前記案内ロールが、第１の長手軸を画定している少なくとも第１のセグメントを第２の長手軸を画定している第２のセグメントの端部に接続して備えており、前記第１および第２のセグメントの少なくとも一方が、前記第１および第２のセグメントの他方に対して、前記第１の軸が前記第２の軸に対して斜めに向けられるように可動である、請求項１に記載の装置。
【請求項３】
前記第１および第２のセグメントの各々が、お互いに対して可動であり、前記第１の軸が、ウェブの中心線に対して第１の角度に枢動可能であって、前記第２の軸が、前記第１の角度と実質的に同じかつ反対向きの第２の角度に枢動可能である、請求項２に記載の装置。
【請求項４】
前記複数の畝形成バーが、中芯材料のウェブの上方に配置された上側の畝形成バーの組と、中芯材料のウェブの下方に配置された下側の畝形成バーの組とを含んでおり、該上側および下側の畝形成バーの組が、前記第１の波形形成用ラビリンスを画定するように噛み合わせられている、請求項１に記載の装置。
【請求項５】
前記畝形成バーが、ウェブの中心線に対する各々の畝形成バーの角度を個別に調節することによって調節可能な幅の扇形を形成するために、畝形成バーの出口端において支持フレームに枢動可能に接続され、畝形成バーの入り口端において横方向に可動である、請求項４に記載の装置。
【請求項６】
上側の畝形成バーの組のそれぞれの畝形成バーにそれぞれ組み合わせられた複数の上側案内路と、
上側の畝形成バーの組を横断して横方向に延在しており、少なくとも１つの上側案内路に受け入れられるように各々が構成された複数のカムが接続されており、前記入り口端の比較的近くに位置する少なくとも第１の位置と前記出口端の比較的近くに位置する第２の位置との間で、上側の畝形成バーの組に対して、ウェブの長手軸に沿って移動可能である、上側の骨組みとをさらに備えており、
前記上側の骨組みが前記第１の位置に向かって移動することで、前記上側の畝形成バーの組が、おおむねウェブの中心線に向かって枢動し、前記扇形の幅が小さくなり、
前記上側の骨組みが前記第２の位置に向かって移動することで、前記上側の畝形成バーの組が、おおむねウェブの中心線から遠ざかるように枢動し、前記扇形の幅が大きくなる、請求項５に記載の装置。
【請求項７】
下側の畝形成バーの組のそれぞれの畝形成バーにそれぞれ連結された複数の下側案内路と、
下側の畝形成バーの組を横断して横方向に延在しており、少なくとも１つの下側案内路に受け入れられるように各々が構成された複数のカムが接続されており、下側の畝形成バーの組に対して、ウェブの長手軸に沿って移動可能である、下側の骨組みとをさらに備えており、
前記下側の骨組みが、前記第１および第２の位置の間を前記上側の骨組みと共に移動できるように、前記上側の骨組みに動作可能に接続されている、請求項６に記載の装置。
【請求項８】
前記複数の畝形成バーが、前記第１の波形形成用ラビリンスを通過しているウェブの部分を、装置を横切る方向において実質的に一定のウェブ張力に保つよう、中芯材料のウェブが前記第１の波形形成用ラビリンスを通って活発に移動しているときに調節可能であるように適合されている、請求項５に記載の装置。
【請求項９】
前記案内ロールが、中芯材料のウェブを、該案内ロールの外周面を貫通して設けられた穴を通って放射される空気のクッション上で該案内ロールの外周面の上方の可変の高さに支持するように機能することができる非接触のロールである、請求項１に記載の装置。
【請求項１０】
前記複数の畝形成バーの一部分が、中芯材料のウェブに接触するように適合された表面を備えており、該表面が、前記第１の波形形成用ラビリンスを通過するときのウェブへの摩擦力を軽減するための摩擦軽減表面の特徴を備えている、請求項１に記載の装置。
【請求項１１】
前記畝形成バーの一部分が、前記中芯材料のウェブを、該畝形成バーの一部分の外表面を貫通して設けられた穴を通って放射される空気のクッション上で該畝形成バーの上方の可変の高さに支持するように機能することができる非接触のバーである、請求項１０に記載の装置。
【請求項１２】
前記１対の波形形成ローラの下流に配置され、波形にされた中芯材料のウェブにフェースシートを貼り付けて片面段ボールを形成するように適合された片面ローラをさらに備えている、請求項１に記載の装置。
【請求項１３】
当該装置によって製造された片面段ボールが、２枚の片面段ボールを畝の頂上において貼り合わせてなる１枚の多層段ボールパネルを形成するために、別の片面段ボールに連結されるように適合されている、請求項１に記載の装置。
【請求項１４】
当該装置によって製造された片面段ボールが、２枚の片面段ボールがお互いに対して斜めに配置されてなる１枚の多層段ボールパネルを形成するために、別の片面段ボールに連結されるように適合されている、請求項１に記載の装置。
【請求項１５】
長手方向の畝を有する製品を製造するための装置であって、
中芯材料のウェブを案内するための案内ロールと、
複数の畝形成バーと、
１対の波形形成ローラと、
中芯材料のウェブの移動経路とを備えており、
前記案内ロールの少なくとも一部分が、ウェブのエッジ部分が該案内ロールを出た後にウェブの中心線に比較的近付くように移動することによって該エッジ部分の経路長が短縮されるように、該案内ロールの別の部分に対して斜めに配置されるように適合されており、
前記複数の畝形成バーが、おおむねウェブの長手軸に沿って向けられ、中芯材料のウェブの上方に配置された上側の畝形成バーの組と、中芯材料のウェブの下方に配置された下側の畝形成バーの組とを含んでおり、該上側および下側の畝形成バーの組が、第１の波形形成用ラビリンスを画定するように互いに噛み合わせられており、該第１の波形形成用ラビリンスが、該第１の波形形成用ラビリンスを通って引かれる中芯材料のウェブに長手方向の畝を中間的な形状まで形成するために有効であり、
前記畝形成バーが、ウェブの中心線に対する各々の畝形成バーの角度を個別に調節することによって、調節可能な幅の扇形を形成するように枢動可能であり、
前記１対の波形形成ローラが、該１対の波形形成ローラの間のニップに、該波形形成ローラのそれぞれに設けられて互いに噛み合う複数の波形形成用の歯の間の第２の波形形成用ラビリンスを画定するように協働しており、前記複数の波形形成用の歯は、各々のローラに沿って円柱状に配置され、該互いに噛み合う複数の波形形成用の歯が、前記波形形成ローラの回転時に前記ニップを通って引かれる中芯材料のウェブに、長手方向の畝を実質的に最終的な形状まで形成するために有効であり、
前記移動経路が、前記案内ロールの外周面の一部を巡り、前記第１の波形形成用ラビリンスを通過し、前記第２の波形形成用ラビリンスを通過する経路を辿る、装置。
【請求項１６】
前記案内ロールが、第１の長手軸を画定している少なくとも第１のセグメントを第２の長手軸を画定している第２のセグメントの端部に接続して備えており、前記第１および第２のセグメントの各々が他方に対して可動であり、前記第１の軸が、ウェブの中心線に対して第１の角度に枢動可能であって、前記第２の軸が、前記第１の角度と実質的に同じかつ反対向きの第２の角度に枢動可能である、請求項１５に記載の装置。
【請求項１７】
前記上側および下側の畝形成バーの組の間の垂直距離が、ウェブの波形の形状を徐々に形成するために、畝形成バーの入り口端から畝形成バーの出口端へとおおむね先細りである、請求項１又は１５に記載の装置。
【請求項１８】
前記複数の畝形成バーと前記１対の波形形成ローラとの間に配置された固定の形成装置をさらに備えており、
該固定の形成装置が、第３の波形形成用ラビリンスを画定しており、該第３の波形形成用ラビリンスが、該第３の波形形成用ラビリンスを通って引かれる中芯材料のウェブに長手方向の畝をほぼ最終的な形状まで形成するために有効である、請求項１又は１５に記載の装置。
【請求項１９】
前記固定の形成装置が、中芯材料のウェブの上方に配置された上側金型および中芯材料のウェブの下方に配置された下側金型を備えており、該上側および下側金型の各々が、前記第３の波形形成用ラビリンスを画定するように互いに噛み合わせられる固定の波形形成用の歯を備えている、請求項１８に記載の装置。
【請求項２０】
前記上側および下側金型の少なくとも一方が、中芯材料のウェブに接触するように適合された表面を備えており、該表面が、前記第３の波形形成用ラビリンスを通過するときのウェブへの摩擦力を軽減するための摩擦軽減表面の特徴を備えている、請求項１９に記載の装置。
【請求項２１】
長手方向の畝を有する製品を製造するための装置であって、
第１の幅を画定している中芯材料のウェブを案内するための案内ロールと、
複数の畝形成バーと、
１対の波形形成ローラと、
中芯材料のウェブの移動経路とを備えており、
前記案内ロールの少なくとも一部分が、ウェブの幅が該案内ロールを出た後に第２の幅へと減少するように、該案内ロールの別の部分に対して斜めに配置されるように適合されており、
前記複数の畝形成バーが、おおむねウェブの長手軸に沿って向けられ、中芯材料のウェブの上方に配置された上側の畝形成バーの組と、中芯材料のウェブの下方に配置された下側の畝形成バーの組とを含んでおり、該上側および下側の畝形成バーの組が、第１の波形形成用ラビリンスを画定するように互いに噛み合わせられており、該第１の波形形成用ラビリンスが、該第１の波形形成用ラビリンスを通って引かれる中芯材料のウェブに長手方向の畝を中間的な形状まで形成するために有効であり、
前記畝形成バーが、ウェブの中心線に対する各々の畝形成バーの角度を個別に調節することによって、畝形成バーの入り口端において前記第２の幅に実質的に等しくなるように適合された調節可能な幅の扇形を形成するために、畝形成バーの入り口端において横方向に可動であるように、畝形成バーの出口端において支持フレームに枢動可能に接続され、
前記１対の波形形成ローラが、該１対の波形形成ローラの間のニップに、該波形形成ローラのそれぞれに設けられて互いに噛み合う複数の波形形成用の歯の間の第２の波形形成用ラビリンスを画定するように協働しており、前記複数の波形形成用の歯は、各々のローラに沿って円柱状に配置され、該互いに噛み合う複数の波形形成用の歯が、前記波形形成ローラの回転時に前記ニップを通って引かれる中芯材料のウェブに長手方向の畝を実質的に最終的な形状まで形成するために有効であり、
前記移動経路が、前記案内ロールの外周面の一部を巡り、前記第１の波形形成用ラビリンスを通過し、前記第２の波形形成用ラビリンスを通過する経路を辿る、装置。
【請求項２２】
前記上側の畝形成バーの組および前記下側の畝形成バーの組のそれぞれの畝形成バーにそれぞれ連結された複数の上側および下側案内路と、
前記上側および下側の畝形成バーの組をそれぞれ横断して横方向に延在しており、各々に少なくとも１つの上側または下側案内路に受け入れられるように各々が構成された複数のカムが接続されている、上側および下側の骨組みとをさらに備えており、
前記上側および下側の骨組みが、少なくとも第１の位置と第２の位置との間をウェブの長手軸に沿って共に移動可能であり、
前記上側および下側の骨組みが前記第１の位置に向かって移動することで、前記上側のおよび下側の畝形成バーの組が、おおむねウェブの中心線に向かって枢動し、前記扇形の幅が小さくなり、
前記上側の骨組みが前記第２の位置に向かって移動することで、前記上側および下側の畝形成バーの組が、おおむねウェブの中心線から遠ざかるように枢動し、前記扇形の幅が大きくなる、請求項１５又は２１に記載の装置。